(57)【要約】【課題】更なる性能の向上を図ることができる多孔質部材および空気清浄機を提供する。【解決手段】多孔質部材２０は、可視光応答型光触媒２１および／またはフルボ酸を多孔質担体２２に担持し、可視光応答型光触媒２１は、生体融合型光触媒とする。可視光応答型光触媒２１は、シルクを含有するアパタイトを被覆した酸化チタンとし、平均粒径は、３０ｎｍ以上５００ｎｍ以下とする。多孔質担体は、発泡ガラスとし、発泡ガラスは、アパタイトを含有する。発泡ガラスは、ガラスと貝殻の混合物を焼成して得られる。空気清浄機１は、多孔質部材２０を充填した充填体３０と、充填体３０を囲う囲い１０と、充填体３０に送風する送風機４０と、を有する。【選択図】図１
2020032165.tif 000002
【特許請求の範囲】
【請求項１】
可視光応答型光触媒および／またはフルボ酸を担持したことを特徴とする多孔質部材。
【請求項２】
前記可視光応答型光触媒は、生体融合型光触媒とすることを特徴とする請求項１に記載の多孔質部材。
【請求項３】
前記可視光応答型光触媒は、シルクを含有するアパタイトを被覆した酸化チタンとすることを特徴とする請求項１または請求項２に記載の多孔質部材。
【請求項４】
前記可視光応答型光触媒の平均粒径は、３０ｎｍ以上５００ｎｍ以下とすることを特徴とする請求項１乃至請求項３のいずれか一項に記載の多孔質部材。
【請求項５】
前記多孔質担体は、発泡ガラスとすることを特徴とする請求項１乃至請求項４のうちいずれか一項に記載の多孔質部材。
【請求項６】
前記発泡ガラスは、アパタイトを含有することを特徴とする請求項１乃至請求項５のいずれか一項に記載の多孔質部材。
【請求項７】
前記発泡ガラスは、ガラスと貝殻の混合物を焼成して得られることを特徴とする請求項６に記載の多孔質部材。
【請求項８】
請求項１乃至請求項７のうちいずれか一項に記載の多孔質部材を充填した充填体と、
前記充填体を内側に収納するように囲う囲いと、
前記充填体に送風する送風機と、を有する、
ことを特徴とする空気清浄機。
【請求項９】
請求項１乃至請求項７のいずれか一項に記載の多孔質部材を充填した充填体と、前記充填体を内側に収納するように囲う囲いと、前記充填体に送風する送風機と、を有する空気清浄機であって、
前記送風機から送風される空気の通気口を有して、前記通気口は、案内板を備え、
前記案内板は、前記通気口の端縁部を囲うように備えられるとともに、前記空気の送風方向に沿って立設するように設けられ前記送風される空気を送風方向に案内することを特徴とする空気清浄機。
【請求項１０】
前記通気口は、所定の面に設けられ、前記面の面積よりも小さい面積に設定されることを特徴とする請求項９に記載の空気清浄機。
【請求項１１】
前記送風機から送風される空気の吸気口を有するとともに、前記空気の送風方向に沿って上流側から順に、前記吸気口、前記充填体、前記送風機、前記通気口が設けられることを特徴とする請求項１０に記載の空気清浄機。
【請求項１２】
請求項１乃至請求項７のいずれか一項に記載の多孔質部材を充填した充填体と、前記充填体を内側に収納するように囲う囲いと、前記充填体に送風する送風機と、を有する空気清浄機であって、
前記囲いは、前記充填体の側方を囲うとともに、角筒状に形成され、
前記囲いの上面側に排気口と、
前記囲いの下面側に吸気口と、を有し、
前記排気口は、案内板を備え、
前記案内板は、前記排気口を囲うように備えられるとともに、前記空気の送風方向に沿って設けられ前記送風される空気を送風方向に案内し、
前記排気口は、前記囲いの上面側に設けられる平板の中央部に開けられた円形の孔とし、前記上面側の面の面積よりも小さい面積に設定され、
前記案内板は、前記円形に対応する円筒状とし、
前記送風方向は、高さ方向に沿って設定され、
前記空気の送風方向に沿って下方側から順に、前記吸気口、前記充填体、前記送風機、前記排気口が配置されることを特徴とする空気清浄機。
【請求項１３】
前記囲いの下面側には、下方側に延びる脚部が設けられて所定の空間が形成されるとともに、前記空間は、前記吸気口に空気を供給する吸気空間として機能することを特徴とする請求項１２に記載の空気清浄機。
【請求項１４】
前記囲いの外面側に角柱の棒材を設けることを特徴とする請求項１２または請求項１３に記載の空気清浄機。
【請求項１５】
前記角柱の棒材は、三角柱または半円柱とし、前記囲いの外面側において水平方向に延びるように、かつ、高さ方向に複数列並べて設けられることを特徴とする請求項１４に記載の空気清浄機。
【請求項１６】
前記囲いは、所定の面の一部を内側に屈曲または湾曲させて第１の開口を形成し、前記第１の開口を前記送風機により送風される空気が流通する第１の流通口とすることを特徴とする請求項８に記載の空気清浄機。
【請求項１７】
前記所定の面の一部に切り込みを設けるとともに、前記所定の面の前記切り込みに囲まれた部分を切り込み片とし、前記切り込み片を内側に屈曲または湾曲させて折り返すことにより、前記第１の開口を形成することを特徴とする請求項１６に記載の空気清浄機。
【請求項１８】
前記内側に折り返した切り込み片の端部側を前記囲いの内側に収納された充填体に当接させることにより、前記充填体を保持することを特徴とする請求項１７に記載の空気清浄機。
【請求項１９】
前記囲いに第２の開口を形成するとともに、前記第２の開口に前記送風機を配置し、前記第２の開口を前記送風機により送風される空気が流通する第２の流通口とし、前記第１の流通口と前記第２の流通口との間に前記充填体を介して前記送風機により送風される空気が流通する流路を形成することを特徴とする請求項１６乃至請求項１８のいずれか一項に記載の空気清浄機。
【請求項２０】
前記送風機は、扁平した形状とすることを特徴とする請求項１６乃至請求項１９のいずれか一項に記載の空気清浄機。
【請求項２１】
前記切り込み片は、下側から上側に折り返すことにより、前記第１の開口を形成するとともに、前記切り込み片により前記充填体を下側から上側に向かって保持することを特徴とする請求項１６乃至請求項２０のいずれか一項に記載の空気清浄機。
【請求項２２】
前記第１の開口および前記切り込み片を四角形状とすることを特徴とする請求項１６乃至請求項２１のいずれか一項に記載の空気清浄機。
【請求項２３】
前記開口および前記切り込み片を前記切り込みの円弧形状に対応する円弧形状とすることを特徴とする請求項１６乃至請求項２１のいずれか一項に記載の空気清浄機。
【請求項２４】
前記囲いに前記囲いの端部から外方に突出するように延びる耳片を設けることを特徴とする請求項１６乃至請求項２３のいずれか一項に記載の空気清浄機。
【請求項２５】
前記耳片に穴を設けることを特徴とする請求項２４に記載の空気清浄機。
【請求項２６】
組立可能とすることを特徴とする請求項１２乃至請求項２５のうちいずれか一項に記載の空気清浄機。
【発明の詳細な説明】
【技術分野】
【０００１】
本発明は、多孔質部材および空気清浄機に関する。
【背景技術】
【０００２】
ガラス発泡体に代表される多孔質部材による環境浄化作用が知られており、このような多孔質部材を利用した技術が、例えば特許文献１または特許文献２に開示されている。
【先行技術文献】
【特許文献】
【０００３】
【特許文献１】特開２０１４−１１７２３０号公報
【特許文献２】特開２０１３−１５８７２７号公報
【発明の概要】
【発明が解決しようとする課題】
【０００４】
近年は、多孔質部材の更なる性能の向上が期待されている。
本発明は、このような事情に鑑みてなされたものであり、更なる性能の向上を図ることができる多孔質部材および空気清浄機を提供することを目的とする。
【課題を解決するための手段】
【０００５】
上記目的を達成するため、本発明の多孔質部材は、可視光応答型光触媒および／またはフルボ酸を担持した多孔質担体であることを特徴とする。
【０００６】
本発明によれば、可視光応答型光触媒および／またはフルボ酸を担持した多孔質担体であることとしたので、光触媒および／またはフルボ酸と多孔質担体の相乗効果により環境浄化の更なる性能の向上を図ることができる。
【０００７】
前記可視光応答型光触媒は、生体融合型光触媒とすることが好ましい。
前記可視光応答型光触媒は、シルクを含有するアパタイトを被覆した酸化チタンとすることが好ましい。
【０００８】
前記可視光応答型光触媒の平均粒径は、３０ｎｍ以上５００ｎｍ以下とすることが好ましい。
前記多孔質担体は、発泡ガラスとすることが好ましい。
【０００９】
前記発泡ガラスは、アパタイトを含有することが好ましい。
前記発泡ガラスは、ガラスと貝殻の混合物を焼成して得ることが好ましい。
【００１０】
上記目的を達成するため、本発明に係る空気清浄機は、請求項１乃至請求項７のうちいずれか一項に記載の多孔質部材を充填した充填体と、前記充填体を囲う囲いと、前記充填体に送風する送風機と、を有する、ことを特徴とする。
【００１１】
本発明によれば、請求項１乃至請求項７のうちいずれか一項に記載の多孔質部材を充填した充填体と、前記充填体を内側に収納するように囲う囲いと、前記充填体に送風する送風機と、を有する、こととしたので、送風機からの空気を、囲いにより案内しながら、充填体に送風して空気の清浄を行うことができ、簡単な構造で一定の性能を確保することができる空気清浄機を提供することができる。
【００１２】
上記目的を達成するため、本発明に係る空気清浄機は、請求項１乃至請求項７のうちいずれか一項に記載の多孔質部材を充填した充填体と、前記充填体を内側に収納するように囲う囲いと、前記充填体に送風する送風機と、を有する空気清浄機であって、前記送風機から送風される空気の通気口を有して、前記通気口は、案内板を備え、前記案内板は、前記通気口の端縁部を囲うように備えられるとともに、前記空気の送風方向に沿って立設するように設けられ前記送風される空気を送風方向に案内することを特徴とする。
【００１３】
本発明によれば、前記送風機から送風される空気の通気口を有して、前記通気口は、案内板を備え、前記案内板は、前記通気口の端縁部を囲うように備えられるとともに、前記空気の送風方向に沿って立設するように設けられ前記送風される空気を送風方向に案内することとしたので、送風機から送風される空気を、通気口を介して送風しつつ案内板により通風方向に沿って案内することができ、送風機からの空気を効率よく送風することができる。これにより、簡単な構造で一定の性能を確保することができる空気清浄機を提供することができる。
【００１４】
前記通気口は、所定の面に設けられ、前記面の面積よりも小さい面積に設定されることとすれば、送風機からの空気を、通気口を介して絞られるように送風することができ、送風される空気の圧力を高めて更に効率よく送風することができる。
【００１５】
前記送風機から送風される空気の吸気口を有するとともに、前記空気の送風方向に沿って上流側から順に、前記吸気口、前記充填体、前記送風機、前記通気口が設けられることとすれば、吸気口を介して送風機により空気を吸い込みつつ、充填体に送風し、かつ、充填体を通過した清浄後の空気を通気口を介して外部に排気することができる。
【００１６】
上記目的を達成するため、本発明に係る空気清浄機は、請求項１乃至請求項７のうちいずれか一項に記載の多孔質部材を充填した充填体と、前記充填体を内側に収納するように囲う囲いと、前記充填体に送風する送風機と、を有する空気清浄機であって、前記囲いは、前記充填体の側方を囲うとともに、角筒状に形成され、前記囲いの上面側に排気口と、前記囲いの下面側に吸気口と、を有し、前記排気口は、案内板を備え、前記案内板は、前記排気口の端縁部を囲うように備えられるとともに、前記空気の送風方向に沿って設けられ前記送風される空気を送風方向に案内し、前記排気口は、前記囲いの上面側に設けられる平板の中央部に開けられた円形の孔とし、前記上面側の面の面積よりも小さい面積に設定され、前記案内板は、前記円形に対応する円筒状とし、前記送風方向は、高さ方向に沿って設定され、前記空気の送風方向に沿って下方側から順に、前記吸気口、前記充填体、前記送風機、前記排気口が配置されることを特徴とする。
【００１７】
本発明によれば、前記囲いは、前記充填体の側方を囲うとともに、角筒状に形成され、前記囲いの上面側に排気口と、前記囲いの下面側に吸気口と、を有し、前記排気口は、案内板を備え、前記案内板は、前記排気口の端縁部を囲うように備えられるとともに、前記空気の送風方向に沿って設けられ前記送風される空気を送風方向に案内し、前記排気口は、前記囲いの上面側に設けられる平板の中央部に開けられた円形の孔とし、前記上面側の面の面積よりも小さい面積に設定され、前記案内板は、前記円形に対応する円筒状とし、前記送風方向は、高さ方向に沿って設定され、前記空気の送風方向に沿って下方側から順に、前記吸気口、前記充填体、前記送風機、前記排気口が配置されることとしたので、送風機からの空気を、囲いにより案内しながら、充填体に送風することができ、かつ、通気口を介して送風しつつ案内板により通風方向に沿って案内することができ、送風機からの空気を効率よく送風することができる。これにより、簡単な構造で一定の性能を確保することができる空気清浄機を提供することができる。
【００１８】
前記囲いの下面側には、下方側に延びる脚部が設けられて所定の空間が形成されるとともに、前記空間は、前記吸気口に空気を供給する吸気空間として機能することとすれば、吸気空間を介して効率よく空気を取り込むことができる。
【００１９】
前記囲いの外面側に角柱の棒材を設けることとすれば、デザイン的にも優れた空気清浄機を提供することができる。
【００２０】
前記角柱の棒材は、三角柱または半円状とし、前記囲いの外面側において水平方向に延びるように、かつ、高さ方向に複数列並べて設けられることとすれば、更にデザイン的に優れた空気清浄機とすることができる。
【００２１】
前記囲いは、所定の面の一部を内側に屈曲または湾曲させて第１の開口を形成し、前記第１の開口を前記送風機により送風される空気が流通する第１の流通口とすることとすれば、空気が流通する流通口を簡単に形成することができる。
【００２２】
前記所定の面の一部に切り込みを設けるとともに、前記所定の面の前記切り込みに囲まれた部分を切り込み片とし、前記切り込み片を前記箱形状の内側に屈曲または湾曲させて折り返すことにより、前記第１の開口を形成して設けることができる。
【００２３】
前記内側に折り返した切り込み片の端部側を前記囲いの内側に収納された充填体に当接させることにより、前記充填体を保持することとすれば、充填体を安定して保持することができる。
【００２４】
前記囲いに第２の開口を形成するとともに、前記上面に前記送風機を配置し、前記第２の開口を前記送風機により送風される空気が流通する第２の流通口とし、前記第１の流通口と前記第２の流通口との間に前記充填体を介して前記送風機により送風される空気が流通する流路を形成して設けることとすれば、第１の流通口と第２の流通口を介して充填体に空気を供給することができる。
【００２５】
前記送風機は、扁平した形状とすることとすれば、空気清浄機のコンパクト化を図ることができる。
【００２６】
前記切り込み片は、下側から上側に折り返すことにより、前記第１の開口を形成するとともに、前記切り込み片により前記充填体を下側から上側に向かって保持することができる。
【００２７】
前記切り込みは、第１の切り込み、第２の切り込み、および第３の切り込みを含み、第１の切り込みは、上下方向に直線状に延びるように形成され、第２の切り込みは、一端側が前記第１の切り込みの下端と接続するとともに、水平方向に直線状に延びるように形成され、第３の切り込みは、前記第２の切り込みの他端から上方に延びるように形成され、前記開口および前記切り込み片を四角形状とすることができる。
【００２８】
前記切り込みは、下方に突出する円弧形状とするとともに、前記第１の開口および前記切り込み片を前記切り込みの円弧形状に対応する円弧形状とすることができる。
【００２９】
前記囲いに前記囲いの端部から外方に突出するように延びる耳片を設けることができる。
【００３０】
前記耳片に穴を設けることとすれば、穴にフック等を引っ掛けることにより、空気清浄機を吊るすことができる。
なお、空気清浄機は、組立可能とすることができる。
【発明の効果】
【００３１】
本発明によれば、更なる性能の向上を図ることができる。
【図面の簡単な説明】
【００３２】
【図１】本発明の第１実施形態における多孔質担体に担持される可視光応答型光触媒として用いられるシルク粉末含有アパタイト被覆二酸化チタンの模式図である。
【図２】同多孔質担体として用いられる発泡ガラスの模式図である。
【図３】本発明の第１実施形態における空気清浄機の全体構成を示す斜視図である。
【図４】同空気清浄機の囲いの構成を示す斜視図である。
【図５】同囲いの構成を示す他の斜視図である。
【図６】同空気清浄機の棒材の構成を示す図で、（ａ）は正面図、（ｂ）は側面図である。
【図７】同空気清浄機の脚部の構成を示す斜視図である。
【図８】同空気清浄機の各構成部材を分解した状態を示す分解斜視図である。
【図９】同空気清浄機の囲いの構成を示す平面図である。
【図１０】同空気清浄機の充填体の構成を示す模式図で、（ａ）は第１の充填体の多孔質部材を示す図、（ｂ）第１の充填体を充填する袋を示す図、（ｃ）は第２の充填体の多孔質部材を示す図、（ｄ）第２の充填体を充填する袋を示す図である。
【図１１】本発明の第１実施形態における空気清浄機の変形例を示す斜視図である。
【図１２】同空気清浄機の変形例を示す別の斜視図である。
【図１３】同空気清浄機の他の変形例を示す斜視図である。
【図１４】本発明の第２実施形態における空気清浄機の全体構成を示す斜視図である。
【図１５】同空気清浄機の全体構成を示す分解斜視図である。
【図１６】同空気清浄機の一部を拡大して示す拡大斜視図である。
【図１７】同空気清浄機の組み立て方法を説明するための斜視図である。
【図１８】同空気清浄機の組み立て方法を説明するための図１７に続く斜視図である。
【図１９】同空気清浄機の組み立て方法を説明するための図１８に続く斜視図である。
【図２０】同空気清浄機の組み立て方法を説明するための図１９に続く斜視図である。
【図２１】同空気清浄機の組み立て方法を説明するための図２０に続く斜視図である。
【図２２】本発明の第２実施形態における空気清浄機の変形例を示す斜視図である。
【図２３】本発明の第２実施形態における空気清浄機の他の変形例を示す斜視図である。
【発明を実施するための形態】
【００３３】
[第１実施形態]
[多孔質部材]
以下、本発明の第１実施形態に係る多孔質部材２０について図１および図２に基づいて説明する。
【００３４】
多孔質部材２０は、多孔質担体２２に光触媒２１より詳しくは可視光応答型光触媒２１を担持して形成され、可視光応答型光触媒２１は、生体融合型光触媒である。可視光応答型光触媒２１は、シルクを含有するアパタイトを被覆した酸化チタンであり、可視光応答型光触媒２１の平均粒径は、３０ｎｍ以上５００ｎｍ以下とされる。多孔質担体２２は、発泡ガラス２２１とされ、発泡ガラス２２１は、アパタイトを含有する。発泡ガラス２２１は、ガラスと貝殻の混合物を焼成して得ることができる。本発明の多孔質部材２０は、以下に詳述される空気清浄機１に利用され、多孔質部材２０の詳細は、以下の空気清浄機１の説明においても示される。
【００３５】
[空気清浄機]
以下、図面を参照して、本発明の第１実施形態に係る空気清浄機１を詳細に説明する。
【００３６】
図３は、本発明の第１実施形態に係る空気清浄機１の全体構成を示す斜視図、図４は、空気清浄機１の囲い１０の構成を示す斜視図、図５は、空気清浄機１の囲い１０の構成を示す他の斜視図、図６は、空気清浄機の棒材の構成を示す図、図７は、空気清浄機１の脚部の構成を示す斜視図、図８は、同空気清浄機１の各構成部材を分解した状態を示す分解斜視図、図９は、囲い１０の構成を示す平面図、図１０は、充填体の構成を示す模式図である。
【００３７】
図３乃至図１０に示すように、空気清浄機１は、囲い１０と、囲い１０の内側に収納され空気の清浄を行う媒体となる多孔質部材２０を充填した充填体３０（以下単に充填体３０とする場合がある）と、同じく囲い１０の内側に収納され充填体３０に空気を送風する送風機４０と、を有するとともに、囲い１０の上面１０ａ側に通気口５０と、囲い１０の下面１０ｂ´側に吸気口６０と、を有している。通気口５０は、送風機４０から送風される空気の排気口５０として機能する。すなわち、空気清浄機１は、送風方向を高さ方向に設定され、空気の送風方向に沿って上流側から順に、より詳しくは、下方側から順に、吸気口６０、充填体３０、送風機４０、排気口５０を設けている。空気清浄機１は、組立可能となっている。
【００３８】
囲い１０は、空気の清浄を行う充填体３０および送風機４０等を収納する機能を有しており、木製となっている。囲い１０は、４枚の平板を用いて平面視四角形の角筒状に形成され、４つの側面１０ｃを有し、充填体３０および送風機４０等の側方を閉塞するようにすなわち充填体３０および送風機４０等を内側に収納するように構成されている。
【００３９】
この囲い１０の側面１０ｃの外面側には、角柱の棒材１１が設けられている。角柱の棒材１１は、三角柱より詳しくは頂角を直角とする側面視直角三角形としている。棒材１１は、囲い１０の側面１０ｃの外面側に水平方向に延びるように、かつ、高さ方向に複数列並べて設けられている。
【００４０】
送風機４０は、回転軸４１と、回転軸４１に連結する旋回羽根４２と、を備え、囲い１０内に収納されている。送風機４０は、回転軸４１を中心として旋回羽根４２を回転させることにより吸気口６０から空気を吸い込むとともに、吸い込んだ空気を充填体３０に供給し、清浄後の空気を排気口５０から排気することができる。送風機４０の回転軸４１および旋回羽根４２は、枠体４３に収納されるとともに、排気側となる送風機４０の上面には格子状の部材４４が設けられている。
【００４１】
排気口５０は、囲い１０の所定の面より詳しくは上面１０ａ側に設けられており、上面１０ａ側の面の面積よりも小さい面積に設定されている。すなわち、排気口５０は、囲い１０の上面１０ａ側を閉塞するように設けられる蓋状の木製の平板１０ｂ´の中央部に開けられた円形の孔としている。この排気口５０は、送風機４０から送風される空気の通気口５０として機能し、排気口５０には、案内板７０が備えられている。なお、平板１０ｂ´の裏面の端縁側には、端縁に沿って延びるように形成される半円柱状の木製の材料１０ｂ１が、排気口５０を介して２本対称な位置に設けられている。この材料１０ｂ１により木製の平板１０ｂ´が補強されている。
【００４２】
案内板７０は、排気口５０の端縁部５０ａに嵌め込まれて排気口５０を囲うように備えられており、木製としている。案内板７０は、空気の送風方向に沿って立設するように設けられ、送風される空気を送風方向に案内する機能を有している。案内板７０は、排気口５０の円形に対応する筒状に形成されており、筒状は、円筒状としている。
【００４３】
なお、案内板７０の内側空間には、一枚の可動羽根７１を有する木製のダンパー７３が設けられている。すなわち、可動羽根７１は、案内板７０の内径と略同寸法の長さに設定されるとともに、可動羽根７１には、上端の左右端に、外側の側方に突出する突出部７２が設けられている。ダンパー７３は、突出部７２を、案内板７０の上端に引っ掛けるように設け、突出部７２を回動中心として、可動羽根７１の側端を案内板７０の内周面に摺動させながら回動させることができる。これにより、ダンパー７３の角度が調整され、排気口５０から排気される空気の排気方向や排気量が調節可能となっている。
【００４４】
吸気口６０は、囲い１０の下面１０ｂ側に設けられている。すなわち、囲い１０の下面１０ｂ側は、閉塞されておらず開放された構成となっており、送風機４０から送風される空気は、吸気口６０を介して吸気される。なお、吸気口６０と空気の清浄を行う充填体３０との間には、格子状の部材８０が設けられており、吸気口６０に効率よく空気を取り込みながら、空気の清浄を行う充填体３０も格子状の部材８０により支持することができる。格子状の部材８０は、囲い１０の下端の内面側に設けられた支持板８１により支持されている。支持板８１は、内面側の各面に水平方向に延びるように設けられている。
【００４５】
また、囲い１０の４つの隅部には、下方側に延びる脚部９０が設けられ、脚部９０の下端９０´から囲い１０の下面１０ｂに至る範囲には、所定の空間９０ａが形成されている。すなわち、所定の空間９０ａは、吸気口６０に空気を供給する吸気空間９０ａとして機能する。なお、脚部９０は、図から明らかなように、平面視三角形状をなす角柱としており、囲い１０の上端から下端に至り、更に下方側に延びて囲い１０の下端から露出している。脚部９０は、中間部に段差９０ａ´が形成されており、この段差９０ａ´によって送風機４０の枠体４３の端部を引っ掛けるように支持することができる。脚部９０は、囲い１０の隅部に接着材等により接着されて設けられる。
【００４６】
ここで、囲い１０に収納される空気の清浄を行う充填体３０の詳細を説明すると次のようになる。
すなわち、充填体３０は、可視光応答型光触媒２１を担持した多孔質担体２２である多孔質部材２０を充填した充填体３０としている。
【００４７】
充填体３０は、第１の充填体３１と第２の充填体３２を有しており、第１の充填体３１は、通風方向の上流側（下方側）、第２の充填体３２は、通風方向の下流側（上方側）に備えられている。第１の充填体３１および第２の充填体３２は、相互に粒子径の異なる多孔質部材２０を充填して得られる。
【００４８】
すなわち、図１０に示すように、第１の充填体３１は、袋３１´に相対的に粒子径の小さい多孔質部材２０を充填して得られ、第２の充填体３２は、袋３２´に相対的に粒子径の大きい多孔質部材２０を充填して得られる。袋３１´，３２´は、網状に形成されており網形状に対応する形状の多数の開口３１´´，３２´´が設けられている。袋３１´，３２´は、開口３１´´，３２´´を介して通気可能となっており、充填される多孔質部材２０に開口３１´´，３２´´を介して空気を供給することができる。袋３１´，３２´は、例えば、市販の洗濯用ネットが用いられる。
【００４９】
本発明の空気清浄機１では、送風機４０を起動させることにより、回転軸４１を中心に旋回羽根４２が回転し充填体３０に送風することができる。つまり、送風機４０を起動させることにより、吸気口６０側の空気が吸い込まれ、吸い込まれた空気は、多孔質部材２０が充填されている充填体３０を通過して清浄され、排気口５０から案内板７０を介して排出される。
【００５０】
吸気口６０から吸い込まれた空気が充填体３０を通過するとき、充填体３０に充填された多孔質担体２２に担持された光触媒２１と接触する。ここで、本発明の光触媒２１は、可視光応答型光触媒２１であるため、外部の光が多孔質担体２２に担持された光触媒２１に到達することにより、紫外線照射手段を用いることなく、光触媒２１の表面が光励起し、強い酸化力が生じる。このため、光触媒２１と接触した空気中に含まれる汚染物質である有機物は、光触媒２１上で水や二酸化炭素に分解し、充填体３０の通過後に空気は浄化される。なお、充填体３０は、埃や塵等により汚れた場合にあっても、袋３１´，３２´ごと囲い１０から取り出し、簡単に洗浄することができる。洗浄は、水洗の他、掃除機等を用いて埃や塵等を吸い込むこととしてもよい。第２の充填体３２と送風機４０との間には格子状の部材３３が備えられている。
【００５１】
以下に、本発明の光触媒２１と光触媒２１を担持する多孔質担体２２である多孔質部材２０について詳細に説明する。
【００５２】
（１）光触媒２１
本発明では、光触媒２１は、可視光応答型光触媒２１を用いる。可視光応答型光触媒２１としては、特に限定されないが、生体融合型光触媒、より詳しくはシルクを含有するアパタイトを被覆した二酸化チタン、更に詳しくはシルク粉末含有アパタイト被覆二酸化チタンを用いることが好ましい。
【００５３】
図１に、本発明の第１実施形態において可視光応答型光触媒２１として用いられるシルク粉末含有アパタイト被覆二酸化チタンの模式図を示すように、表面にシルク粉末２１１が分散したリン酸カルシウム（アパタイト）粉末２１２が、二酸化チタン（酸化チタン）より詳しくは二酸化チタン（酸化チタン）粉末２１３の表面に分散している。すなわち、二酸化チタン粉末２１３の表面は、リン酸カルシウム粉末２１２で被覆され、さらに、リン酸カルシウム粉末２１２の表面は、シルク粉末２１１で被覆されている。
【００５４】
上記シルク粉末含有アパタイト被覆二酸化チタンは、以下のようにして製造することができる。繭を塩水で煮込んだ後、不純物を取り除いて、高分子のシルク成分を抽出する。得られた粉末をシルク粉末２１１として、リン酸カルシウム（アパタイト）に対して、０．１〜５質量％の割合で添加して混合することにより、シルク粉末含有アパタイト粉末を得る。二酸化チタン粉末２１３にシルク粉末含有アパタイト粉末を被覆することにより、シルク粉末含有アパタイト被覆二酸化チタンを得る。
【００５５】
なお、シルク粉末含有アパタイト被覆二酸化チタンの市販品としては、トリニティＺ、トリニティ０１（いずれも株式会社環境保全研究所製）等が挙げられる。トリニティＺは、シルク粉末含有アパタイト被覆二酸化チタンを液中に分散させており、霧吹き等を用いて多孔質担体２２に容易に吹き付けることができる。シルク粉末含有アパタイト被覆二酸化チタンは、防腐剤としても使用されており仮に体内に吸収された場合にあっても人体への影響は少ない。
【００５６】
シルク粉末含有アパタイト被覆二酸化チタンでは、二酸化チタン表面がアパタイトで被覆されているが、アパタイト内部での光の屈折等の影響により、二酸化チタン単体の場合に比べ、光触媒活性が上昇することが確認されている。また、二酸化チタンに被覆されたアパタイトにより、空気中の汚染物である有機物が吸着されやすくなり、アパタイトで吸着した有機物を二酸化チタンにより効率的に分解することができると考えられる。
【００５７】
さらに、シルク粉末含有アパタイト被覆二酸化チタンでは、シルク粉末２１１の添加により、アパタイト粉末２１２および二酸化チタン粉末２１３の凝集を抑制することができるため、アパタイト粉末２１２および二酸化チタン粉末２１３表面での吸着および分解反応が効率的に進行するため、より優れた空気浄化効果を得ることができる。
【００５８】
本第１実施形態では、金属酸化物としては、酸化チタン（二酸化チタン）を用いたが、酸化亜鉛、酸化スズ、酸化鉄、酸化ジルコニウム、酸化タングステン、酸化クロム、酸化モリブデン、酸化ルテニウム、酸化ゲルマニウム、酸化鉛、酸化カドミウム、酸化銅、酸化バナジウム、酸化ニオブ、酸化タンタル、酸化マンガン、酸化コバルト、酸化ロジウム、酸化レニウム、酸化ビスマス、チタン酸ストロンチウムから選ばれる少なくとも1種類の酸化物を用いることもできる。ただし、空気浄化性能、取り扱いやすさ等の観点からは、酸化チタンを用いるのが好ましい。
【００５９】
本発明の可視光応答型光触媒の平均粒子径は、３０ｎｍ〜５００ｎｍであることが好ましく、５０ｎｍ〜２００ｎｍであることがより好ましい。従来の光触媒の平均粒子径は、３〜６ｎｍ程度と微細であるため、空気中に飛散した場合、毛細血管や皮膚を通して体内に入る可能性があることが指摘されていた。光触媒２１の平均粒子径を上記範囲とすることにより、例え、光触媒２１が空気中に飛散した場合でも、粒子径が大きく、体内に吸収されないため、安全である。なお、光触媒２１の平均粒子径は、透過型顕微鏡観察写真から算出することができる。
【００６０】
（２）多孔質担体２２
多孔質担体２２の材料は、上述した光触媒２１を担持し、かつ、外部からの光が光触媒２１に好適に到達することを妨げない材料であれば、特に限定されない。ただし、光触媒２１への光の到達、有機物の吸着特性及びコスト等を考慮すると発泡ガラス２２１を用いることが好ましい。
【００６１】
発泡ガラス２２１としては、特に限定されないが、ガラス瓶又は、ガラス瓶と貝殻の混合物を、１０００℃程度で焼成して得られる発泡ガラス２２１等を用いることができる。ガラス瓶と貝殻の混合物から得られる発泡ガラス２２１の市販品としては、ポーラスアルファ（株式会社鳥取再資源化研究所製）等が挙げられる。
【００６２】
図２に、本発明の第１実施形態において多孔質担体２２として用いられる発泡ガラス２２１の模式図を示すように、１ｃｍ〜５ｃｍ程度の塊状の発泡ガラス２２１の表面には、数μｍ〜数ｍｍ程度の大小さまざまな細孔２２２が形成されている。この細孔２２２により流入する空気にマイクロメータオーダーの渦が発生し空気と多孔質担体２２の表面との接触効率を向上させることができる。
【００６３】
上記ガラス瓶と貝殻の混合物から得られる発泡ガラス２２１に、シルク粉末含有アパタイト被覆二酸化チタンに担持した場合、発泡ガラス２２１には、貝殻に由来するアパタイトが含有されているため、光触媒２１および多孔質担体２２のいずれもアパタイトを含有した構成となる。これにより、多孔質担体２２と光触媒２１の密着性が向上するため、光触媒２１の飛散が抑制され、より長期にわたって、優れた空気浄化効果を得ることができる。また、光触媒２１および多孔質担体２２の双方のアパタイトにより、空気中の汚染物である有機物が吸着され、光触媒２１中の二酸化チタン上での有機物の分解が効果的に進行するため、より優れた空気浄化作用を奏する。さらに、光触媒２１中のアパタイト及び多孔質担体２２中のアパタイトの双方での光の屈折の相乗効果により、より優れた光触媒活性が得られる。
【００６４】
（３）光触媒２１を担持した多孔質担体２２である多孔質部材２０
本発明では、発泡ガラス２２１等の多孔質担体２２に、シルク粉末含有アパタイト被覆二酸化チタンを吹き付けるのみで光触媒２１を担持した多孔質部材２０を形成することができる。そのため、光触媒２１の飛散等により、空気清浄機１の性能が低下した場合には、光触媒２１を再度吹き付けるのみで、手軽に再生することができる。
【００６５】
また、発泡ガラス２２１およびシルク粉末含有アパタイト被覆二酸化チタンを用いる本発明では、いずれの材料も環境負荷が小さく、人体等への安全性にも優れている。そのため、使用済みの光触媒２１を担持した多孔質担体２２である多孔質部材２０は、道路等の舗装材料や溶鉱炉の壁用材料として用いることもでき、この場合も、空気の浄化作用が得られる。また、使用済みの光触媒２１を担持した多孔質担体２２である多孔質部材２０は、安全なため、海、河川等水中に投入したり、土壌に埋めることもでき、この場合は、水や土壌の浄化にも役立つ。
【００６６】
以上説明したように本発明の多孔質部材２０は、可視光応答型光触媒２１を担持した多孔質担体２２とすることとしたので、光触媒２１と多孔質担体２２の相乗効果により環境浄化の更なる性能の向上を図ることができる。
【００６７】
また、本発明によれば、空気清浄機１は、囲い１０と、囲い１０に収納され空気の清浄を行う充填体３０と、充填体３０に空気を送風する送風機４０と、を有することとしたので、より詳しくは、囲い１０と、囲い１０に収納され空気の清浄を行う充填体３０と、充填体３０に空気を送風する送風機４０と、を有するとともに、送風機４０から送風される空気の通気口５０を有して、通気口５０は、案内板７０を備え、案内板７０は、通気口５０の端縁部５０ａを囲うように備えられるとともに、空気の送風方向に沿って立設するように設けられ送風される空気を送風方向に案内することとしたので、更に詳しくは、囲い１０は、充填体３０の側方を囲うとともに、角筒状に形成され、囲い１０の上面１０ａ側に排気口５０と、囲い１０の下面１０ｂ側に吸気口６０と、を有し、排気口５０は、案内板７０を備え、案内板７０は、排気口５０の端縁部５０ａを囲うように備えられるとともに、空気の送風方向に沿って設けられ送風される空気を送風方向に案内し、排気口５０は、囲い１０の上面１０ａ側に設けられる平板１０ｂ´の中央部に開けられた円形の孔とし、上面１０ａ側の面の面積よりも小さい面積に設定され、案内板７０は、円形に対応する円筒状とし、送風方向は、高さ方向に沿って設定され、空気の送風方向に沿って下方側から順に、吸気口６０、充填体３０、送風機４０、排気口５０が配置されることとしたので、送風機４０から送風される空気を、通気口５０を介して送風しつつ案内板７０により通風方向に沿って案内することができ、送風機４０からの空気を効率よく送風することができる。これにより、簡単な構造で一定の性能を確保することができる空気清浄機１を提供することができる。
【００６８】
また、通気口５０は、囲い１０の上面１０ａ側の面に設けられ、上面１０ａ側の面の面積よりも小さい面積に設定されることとしたので、送風機４０からの空気を、通気口５０を介して絞られるように送風することができ、送風される空気の圧力を高めて更に効率よく送風することができる。
【００６９】
更に、送風機４０から送風される空気の吸気口６０を有するとともに、空気の送風方向に沿って上流側から順に、吸気口６０、空気の清浄を行う充填体３０、送風機４０、通気口５０が設けられることとしたので、吸気口６０を介して送風機４０により空気を吸い込みつつ、該吸い込んだ空気を空気の清浄を行う充填体３０に送風し、かつ、充填体３０を通過した清浄後の空気を通気口５０を介して外部に排気することができる。
【００７０】
更にまた、囲い１０の下面１０ｂ側には、下方側に延びる脚部９０が設けられ所定の空間９０ａが形成されるとともに、空間９０ａは、吸気口６０に空気を供給する吸気空間９０ａとして機能することとしたので、吸気空間８０ａを介して効率よく空気を取り込むことができる。
【００７１】
また、囲い１０の外面側に角柱の棒材１１を設けることとしたので、デザイン的にも優れた空気清浄機１を提供することができる。
【００７２】
なお、本発明は特許請求の範囲に記載した発明の範囲内において種々の変形実施、応用実施が可能であることは勿論である。
【００７３】
すなわち、例えば、上述した第１実施形態にあっては、案内板７０を円筒状としてその内部空間に一枚の可動羽根７１を有するダンパー７３を設け、排気口５０を囲うように備えることとしているが、図１１および図１２に示す空気清浄機２のように、案内板７０´を平面視四角形状の枠体として、その内部空間に複数枚の可動羽根７１´を有するダンパー７３´を設け、排気口５０を囲うように備えることとしてもよい。なお、可動羽根７１´は、案内板７０´の上端に設けられた軸体７２´を介して回動可能となっており、排気口５０から排気される空気の排気方向や排気量を調節することができる。また、図１１および図１２における案内板７０´およびダンパー７３´は、図から明らかなように、通気口５０に嵌め込むものではなく、囲い１０の上面１０ａの平板１０ｂ´に単に載せて配置されており、その位置を適宜変更することができる。
【００７４】
更に、上述した第１実施形態にあっては、囲い１０の側面１０ｃの外面側に設けられる棒材１１を、三角柱としているが、図１３に示す空気清浄機３のように、棒材１１´を半円柱とすることもできる。かかる場合にあってもデザイン的に優れた空気清浄機３を提供することができるので好ましい。
【００７５】
また更に、上述した第１実施形態にあっては、多孔質部材２０に可視光応答型光触媒２１を担持して充填体３０を形成することとしているが、フルボ酸を多孔質部材２０に担持することとしたり、可視光応答型光触媒２１およびフルボ酸のいずれも多孔質部材２０に担持することとしても所要の効果を奏する。
【００７６】
[第２実施形態]
次に本発明の第２実施形態について、図１４乃至図１６に基づいて詳細に説明する。本発明の第２実施形態の空気清浄機１００は、上述した第１実施形態の空気清浄機１に対し、主に囲い１０および送風機４０を変更した構成を示している。なお、第２実施形態の空気清浄機１００においては、多孔質部材２０、光触媒２１、フルボ酸、および空気の清浄を行う充填体３０（３１）は、第１実施形態の空気清浄機１と同様の構成であり、その説明を省略することがあるものとする。また、各方向は図中に明示された方向を基準とする。
【００７７】
図１４および図１５に示すように、空気清浄機１００は、囲い１１０と、充填体３０（３１）と、充填体３０に空気を送風する送風機１２０と、を有している。
【００７８】
囲い１１０は、箱形状となっており、紙または樹脂で形成されている。囲い１１０は、空気の清浄を行う媒体となる多孔質部材２０を充填した充填体３０（３１）を内側に収納する構成となっている。
【００７９】
囲い１１０は、箱形状の所定の面の一部に切り込み１１１が設けられており、切り込み１１１に囲まれた部分を切り込み片１１２としている。
【００８０】
すなわち、切り込み片１１２を箱形状の内側に屈曲または湾曲させて折り返すことにより、第１の開口１１３を形成して設けることができる。つまり、囲い１１０は、内側に折り返した切り込み片１１２の端部側１１２ａを、囲い１１０の内側に収納された充填体３０（３１）に当接させることにより、充填体３０（３１）を保持することができる。囲い１１０は、第１の開口１１３を囲い１１０の相互に対向する対称な位置に設けることとしており、送風機１２０からの空気を対称な方向から流通させることができる。なお、第１の開口１１３は、複数設けられている。
【００８１】
より詳しくは、囲い１１０は、直方体形状または立方体形状とするとともに、上面１１０ａ、下面１１０ｂ、前面１１０ｃ、後面１１０ｄ、左側面１１０ｅ、および右側面１１０ｆを有しており、第１の開口１１３は、前面１１０ｃ、後面１１０ｄ、左側面１１０ｅ、および右側面１１０ｆのうち相互に対向する少なくとも２つの面に設けることとしている。本第２実施形態にあっては、第１の開口１１３は、左側面１１０ｅおよび右側面１１０ｆの下側領域に水平方向に沿って並ぶようにそれぞれ３箇所に設けられている。
【００８２】
囲い１１０の上面１１０ａには、第２の開口１１４が形成されている。また、囲い１１０の上面１１０ａには、送風機１２０が配置されており、第２の開口１１４は、送風機１２０により送風される空気が流通する第２の流通口１１４として機能する。すなわち、第１の流通口１１３と第２の流通口１１４との間には、充填体３０（３１）を介して、送風機１２０により送風される空気が流通する流路が形成されている。これにより、第１の流通口と第２の流通口を介して充填体に空気を供給することができる。なお、囲い１１０の上面１１０ａは、開閉可能となっている。
【００８３】
送風機１２０は、扁平した形状となっており、回転軸１２１と、回転軸１２１に連結する旋回羽根１２２と、送風部１２３と、を備えている。送風機１２０は、回転軸１２１を中心として旋回羽根１２２を回転させることにより第１の開口１１３（吸気口、流通口）から空気を吸い込むとともに、吸い込んだ空気を充填体３０（３１）に供給し、清浄後の空気を第２の開口１１４（排気口、流通口）を介して送風部１２３から排気することができる。この送風機１２０の回転軸１２１および旋回羽根１２２は、扁平形状の枠体１２４に収納されている。
【００８４】
ここで、切り込み片１１２は、折り返しラインＬを介して、下側から上側に折り返すことにより、第１の開口１１３を形成する。そして、切り込み片１１２により充填体３０（３１）を下側から上側に向かって保持することができる。
【００８５】
この切り込み片１１２を形成する切り込み１１１は、第１の切り込み１１１ａ、第２の切り込み１１１ｂ、および第３の切り込み１１１ｃを含んでいる。
【００８６】
第１の切り込み１１１ａは、上下方向に直線状に延びるように形成され、第２の切り込み１１１ｂは、一端側１１１ｂ１が第１の切り込み１１１ａの上端１１１ａ１と接続するとともに、水平方向に直線状に延びるように形成され、第３の切り込み１１１ｃは、第２の切り込み１１１ｂの他端側１１１ｂ２から下方に延びるように形成されている。切り込み１１１により形成される第１の開口１１３および切り込み片１１２は、四角形状とすることとしており、四角形状は、長方形状または正方形状とすることができる。
【００８７】
また、囲い１１０には、囲い１１０の上端部１１０ａ´から外方に突出するように延びる耳片１１６が設けられている。
耳片１１６は、箱形状の上面１１０ａ（下面１１０ｂであってもよい）に沿ってかつ上面１１０ａの幅寸法と同寸法をもって囲い１１０の上端部１１０ａから外方にかつ水平方向に突出するように延びている。耳片１１６には、中央部に穴１１７が設けられている。
【００８８】
このように構成された空気清浄機１００は、組立可能となっており、以下のように組み立てることができる。
【００８９】
すなわち、まず図１７に示すように、箱形状の囲い１１０を用意する。
続いて、図１８に示すように、囲い１１０の左側面１１０ｅおよび右側面１１０ｆに切り込み１１１を設けて切り込み片１１２を形成するとともに、囲い１１０の上面１１０ａの中央部および耳片１１６の中央部にも切り込みを設ける。
そして、図１９に示すように、囲い１１０の上面１１０ａの中央部から切り込み片を抜いて第２の開口１１４を設けるとともに、耳片１１６の中央部からも切り込み片を抜いて穴１１７を設ける。耳片１１６に穴１１７を設けることにより、穴１１７にフック等を引っ掛けることができ、空気清浄機１００を吊るすことができる。これにより、空気清浄機１００を吊るして用いたり、または店頭等で空気清浄機１００を吊るして販売することができる。
【００９０】
次いで、図２０に示すように、囲い１１０の上面１１０ａを適宜開放する等して囲い１１０の内側に充填体３０（３１）を収納する。
【００９１】
次に、図２１に示すように、囲い１００の左側面１１０ｅおよび右側面１１０ｆの切り込み片１１２を折り返しラインＬを介して、下側から上側に折り返すことにより、第１の開口１１３を形成する。これにより、切り込み片１１２により充填体３０（３１）を下側から上側に向かって保持する。
【００９２】
続いて、図１４に示すように、囲い１１０の上面１１０ａに送風機１２０を載置する。送風機１２０を扁平した形状とすることにより、空気清浄機１００のコンパクト化を図ることができる。
【００９３】
以上説明したように、本第２実施形態にあっては、囲い１１０は、箱形状とするとともに、箱形状の所定の面の一部を内側に屈曲または湾曲させて第１の開口１１３を形成し、第１の開口１１３を送風機１２０により送風される空気が流通する第１の流通口１１３とすることとしたので、空気が流通する流通口を簡単に形成することができる。
【００９４】
なお、上述した第２実施形態にあっては、切り込み片１１２を四角形状とすることとしているが、図２２に示す空気清浄機１００´のように、切り込み１１１´を、下方に突出する円弧形状とするとともに、第１の開口１１３´（第１の流通口１１３´）および切り込み片１１２´を切り込み１１１´の円弧形状に対応する円弧形状として、その端部１１２ａ´で充填体３０（３１）を保持することとしても所要の効果を奏する。
【００９５】
また、図２３に示すように、第１の開口１１３および切り込み片１１２を左側面１１０ｅおよび右側面１１０ｆに各１箇所設け、水平方向に長尺な構成とすることとしても所要の効果を奏する。
【００９６】
更に、上述した第２実施形態にあっては、第１の開口１１３を左側面１１０ｅおよび右側面１１０ｆに設けることとしているが、更に前面１１０ｃおよび後面１１０ｄに設けることとしても所要の効果を奏する。
【００９７】
すなわち、第１の開口１１３は、上面１１０ａ、下面１１０ｂ、前面１１０ｃ、後面１１０ｄ、左側面１１０ｅ、および右側面１１０ｆを有しており、第１の開口１１３は、前面１１０ｃ、後面１１０ｄ、左側面１１０ｅ、および右側面１１０ｆのうち相互に対向する少なくとも２つの面に設けることとすればよい。
【符号の説明】
【００９８】
１：空気清浄機
１０：囲い
１０ａ：上面
１０ｂ：下面
１０ｂ´：平板
１０ｃ：側面
１１：角柱の棒材
２０：多孔質部材
２１：光触媒
２１１：シルク粉末
２１２：リン酸カルシウム（アパタイト）粉末
２１３：二酸化チタン粉末
２２：多孔質担体
２２１：発泡ガラス
２２２：細孔
３０：空気の清浄を行う充填体
３１：第１の充填体
３１´：袋
３１´´：開口
３２：第２の充填体
３１´：袋
３２´´：開口
３３：格子状の部材
４０：送風機
４１：回転軸
４２：旋回羽根
４３：枠体
４４：格子状の部材
５０：通気口（排気口）
５０ａ：端縁部
７０，７０´：案内板
７１，７１´：可動羽根
７２：突出部
７２´：軸体
７３：ダンパー
７３´：ダンパー
６０：吸気口
８０：格子状の材料
８１：支持板
９０：脚部
９０´：下端
９０ａ：吸気空間
９０ａ´：段差
１００：空気清浄機
１００´：空気清浄機
１１０：囲い
１１０ａ：上面
１１０ａ´：上端部
１１０ｂ：下面
１１０ｃ：前面
１１０ｄ：後面
１１０ｅ：左側面
１１０ｆ：右側面
１１１：切り込み
１１１ａ：第１の切り込み
１１１ｂ：第２の切り込み
１１１ｂ１：一端側
１１１ｂ２：他端側
１１１ｃ：第３の切り込み
１１２：切り込み片
１１２´：切り込み
１１２ａ´：切り込み片
１１２ａ：端部側
１１３：第１の開口（第１の流通口）
１１３´：第１の開口（第１の流通口）
１１４：第２の開口（第２の流通口）
１１６：耳片
１１７：穴
１２０：送風機
１２１：回転軸
１２２：旋回羽根
１２３：送風部
１２４：枠体
【図１】
2020032165.tif 000003
【図２】
2020032165.tif 000004
【図３】
2020032165.tif 000005
【図４】
2020032165.tif 000006
【図５】
2020032165.tif 000007
【図６】
2020032165.tif 000008
【図７】
2020032165.tif 000009
【図８】
2020032165.tif 000010
【図９】
2020032165.tif 000011
【図１０】
2020032165.tif 000012
【図１１】
2020032165.tif 000013
【図１２】
2020032165.tif 000014
【図１３】
2020032165.tif 000015
【図１４】
2020032165.tif 000016
【図１５】
2020032165.tif 000017
【図１６】
2020032165.tif 000018
【図１７】
2020032165.tif 000019
【図１８】
2020032165.tif 000020
【図１９】
2020032165.tif 000021
【図２０】
2020032165.tif 000022
【図２１】
2020032165.tif 000023
【図２２】
2020032165.tif 000024
【図２３】
2020032165.tif 000025